【事件の表示】
　特願２００２−２１７３３２「ネマティック液晶の駆動方法」拒絶査定不服審判事件〔平成１５年　３月　５日出願公開、特開２００３−　６６４１４〕について、次のとおり審決する。
【結　論】
　本件審判の請求は、成り立たない。
【理　由】
１．手続の経緯・本願発明
　本願は、平成８年８月６日に出願された特願平８−２２１８２７号の一部を平成１４年７月２５日に分割して新たな特許出願としたものであって、原審において、平成１６年３月１７日付で拒絶理由が通知され、同年５月２４日に手続補正がなされたところ、同年８月１７日付で拒絶査定がなされ、これに対し、同年９月２４日に拒絶査定不服審判の請求がなされたものであって、その請求項に係る発明は、上記手続補正がなされた明細書及び図面の記載からみて、特許請求の範囲の請求項１ないし３に記載されたとおりのものと認められるところ、請求項１に係る発明（以下、「本願発明」という。）は次のものである。
　　
「【請求項１】２つの電極に挟まれたネマティック液晶の駆動方法において、
　前記２つの電極間に画像データに応じた電圧を印加して前記ネマティック液晶の光透過率を前記画像データに応じた値とする第１のステップと、
　前記２つの電極間に前記画像データに応じた電圧とは異なる一定の電圧を一定の期間印加して前記画像データに応じた電圧の印加によって変化した前記光透過率を元の値に戻す第２のステップと
　を１フレーム期間中に行うことを特徴とするネマティック液晶の駆動方法。」
　　
２．引用例
　原査定の拒絶の理由に引用された特表平８−５００９１５号公報（以下、「引用例」という。）には、図面とともに、以下の事項が記載されている。
　
　ａ．「本発明の目的は、動いている像を表示している場合の表示品質を改善したマトリックス表示システムと、動いている像を表示している場合の好ましくない視覚現象の問題を軽減するのに役に立つマトリックス表示システムの動作方法とを提供することである。」（７頁２４〜２７行）
　　
　ｂ．「本発明によるマトリックス表示システムの第２の好適な実施例において、駆動回路は、順次の表示情報アドレス期間の間の時間間隔において、画素の配列を、ほぼ非透過表示状態に駆動することができる。
　本発明による方法の第２の好適な実施例において、順次の表示情報アドレス期間の間の時間間隔において、画素の配列を、ほぼ非透過表示状態に駆動する。
　この第２の実施例において、順次の表示情報アドレス期間の間の時間間隔において画素をほぼ非透過、すなわち黒に駆動することによって、順次の表示フィールドの見る人への表示の間に上述した「暗い」期間が挿入され、知覚される動いている物の解像度が改善される。」（１０頁２８行〜１１頁７行）
　
　ｃ．「表示パネル１０は、各画素１２が開閉装置として動作するＴＦＴ１１に関連しており、且つ、行および列アドレス導線１４および１６の組の交点に各々隣接して配置されている、従来型のＴＦＴ型パネルを具える。同じ行の画素に関連する全てのＴＦＴ１１のゲート端子を、共通列導線１４に接続し、この導線には動作時に選択（ゲート）信号が供給される。さらに、同じ列の全ての画素に関連するソース端子を共通列導線１６に接続し、データ（ビデオ情報）信号を供給する。ＴＦＴのドレイン端子を、画素の一部を形成し、この画素を規定する各々の透明画素電極１８に各々接続する。行および列導線１４および１６と、ＴＦＴ１１および電極１８とを、例えばガラスである透明プレート上に全て支える。このプレートと平行に、且つ分離して、パネルの全ての画素に共通の電極を構成する透明導電層がその上に形成された他の透明プレートがある。ツイストネマチック液晶材料をこの２枚のプレートの間に配置し、この２枚のプレートの周囲を適切に密封する。従来の方法においては、向かい合ったプレートに偏光層を設ける。
　・・・・中略・・・・
　表示パネル１０を、一方の側に配置した小型低圧蛍光灯を具える光源１９によって照明し、光源からパネルに入射する光を、画素１２の透過特性によって適切に変化させ、パネルの他方の側に可視表示出力を生成する。液晶材料が、画素を通過した光を、その両端間に印加された電圧に従って変調させると共に、各画素は、パネルを通過した光を、その各々の画素の両端間に印加された電圧に従って変化させることができる。画素は、印加された電圧のレベルに従って動作し、ほとんど透過しない、すなわち黒から、ほぼ完全に透過する、すなわち白のレベルまで変動する、複数の透過レベルを形成する。標準的なやり方に従って、行導線１４を選択信号によって順次に走査してＴＦＴの各行を順次にターンオンさせ、ゲート信号と同期して画素の各行に対する列導線にデータ信号を適切に供給することにより、パネルを時間軸で行毎に駆動し、完全な表示画像を構成する。ＴＶディスプレイの場合、画素の各行にＴＶラインの画像情報信号を供給する。１行を一度にアドレスすると、アドレスされた行の全てのＴＦＴ１１は、選択信号の持続時間によって決定される行アドレス期間に対してスイッチオンされ、その間、キャパシタが列導線１６上のビデオ情報信号の電圧レベルに従って充電される。その後、選択信号の終了によって、この行のＴＦＴはターンオフし、それによって画素は導線１６から絶縁され、画素に供給された電荷は、画素が次のフィールド期間において再びアドレスされるまで蓄積されるようにする。
　同期信号が同期セパレータ２６から供給されるタイミング兼制御回路２１からの規則正しいタイミングパルスによって制御されるディジタルシフトレジスタを具える行駆動回路２０によって、行導線１４には同じ選択信号が順次に供給される。これらの同期信号は、入力端子２５に供給される画像およびタイミング情報を含むビデオ、例えばＴＶ信号から得られる。ビデオデータ（画像情報）信号を、１個またはそれ以上のシフトレジスタおよびサンプルホールド回路を具える列駆動回路２２から、列導線１６に供給する。回路２２に入力端子２５に供給されたビデオ信号から得られるビデオデータ信号を、ビデオ処理回路２４から供給する。同期セパレータ２６で入力ビデオ信号のタイミング情報から取り出したタイミング信号は、行の走査と同期してタイミング兼制御回路２１によって、回路２２に供給され、パネル１０のアドレス時に適切な直並列変換を与える。
　・・・・中略・・・・
　選択信号を行導線にＴＶラインと同期して順次供給し、各選択信号がＴＶライン周期Ｔ１と等しい、またはそれより短い周期を有する、例えば６４マイクロ秒のＴＶライン周期を有する半解像度ＰＡＬ標準ＴＶ表示の場合、各行導線が２０ミリ秒の間隔で選択信号を供給されるようにする従来の駆動方法とは異なり、表示パネル１０を、入力ビデオ、ＴＶ信号のライン速度より速いライン速度で駆動する。欧州特許出願公開明細書第０４８７１４０号において、例えば供給されたＴＶ信号の２倍速いフィールド速度で表示パネルを駆動する、アクティブマトリックスＬＣディスプレイ装置の駆動方法が記述されている。この方法において、表示パネルの画素を、１ＴＶ信号フィールド周期に等しい周期内で同じ表示情報によって２回ロードする。これを達成するために、ビデオ信号をフィールド記憶装置に供給し、供給されたＴＶ信号のライン速度の２倍の速度でパネルを走査して、その内容を１標準ビデオ周期の間に２回連続して表示パネルに読み出す。これは、２０ミリ秒のフィールド周期と５０Ｈｚのフィールド速度とを有するＰＡＬ　ＴＶ表示信号の場合、表示パネルのフィールド周期が１０ミリ秒に短縮され、フィールド速度が１００Ｈｚに変換されることを意味する。図１および２に示すシステムの実施例の表示パネル１０の画素は、ある程度幾つかの類似点を持った方法で駆動される。再び図１および２を参照して、入力端子２５からビデオ信号を、アナログディジタル変換器２７および切り換えスイッチ２８を経て、ＴＶフィールド全体に関するディジタル化されたビデオ信号を保持する２個のディジタルフィールド記憶装置３０および３１の一方に供給する。切り換えスイッチ２８を回路２１によって、ＴＶフィールド信号が記憶装置３０および３１に交互に記憶されるように動作する。一方の記憶装置、例えば記憶装置３０がロードされている間、他方の記憶装置３１の内容を読み出し、同様に回路２１によって制御される切り換えスイッチ３２と、ディジタルアナログ変換器３３とを経て、ビデオ処理回路２４に供給する。一方の記憶装置内に格納された信号を、ライン毎に回路２４に読み出し、各ラインの読み出しは、ＴＶライン周期の半分を要する。行駆動回路２０は、ＴＶフィールドに関するデータ信号の供給に同期した従来の速度の２倍の速度において行導線を走査する。したがって、１ＴＶフィールドに関するデータは、ＴＶ信号フィールド周期の半分の周期内で表示パネルにロードされる。各行の画素がロードされた後、非選択信号を個々の行導線に供給し、この行のＴＦＴをオフに保ち、したがって記憶された書き込み表示情報を有する画素を分離する。ここまでは、図１および２のシステムの実施例の構成および動作方法は、大体において等しい。しかしながら、これらの動作は以後異なるので、これらの２つの実施例の動作を分けて記述する。」（１３頁１６行〜１６頁１５行）
　　
　ｄ．「ここで図２のシステムの実施例を考えると、画素を、・・・上述したようなＴＶ信号フィールド周期の半分から成る表示情報アドレス期間内で１ＴＶフィールドに関するデータを表示パネル１０に書き込むのに続いて、画素の配列を、ＴＶ信号フィールド周期の残りの半分から成る期間内に再びアドレスしてほぼ非透過（黒い）状態に駆動する。これを達成するために、ＴＶフィールド期間の後半に等しいこの期間の間に、間隔の開始とほぼ一致する第１の行導線の選択信号によって、選択信号を行駆動回路２０によって各行導線に順番に再び供給する。この期間が続いている間、画素をほぼ非透過状態に駆動するように選択される予め定めた基準電圧ＶＢを列導線１６の各々に印加する。基準電圧を、列駆動回路２２の出力端子と列導線の組との間に接続され、回路２１によって供給される切り換え信号Ｓの制御のもとに、列導線を行駆動回路の出力と基準電圧との間で切り換える切り換え回路３５によって印加する。行導線を、あらかじめ、画素の行が時間間隔の終了時に最終行が完了するまで順番にほぼ非透過状態に設定されるように、選択信号によって同じ速度において走査する。したがって１ＴＶフィールド周期において、２つの表示情報アドレス期間、すなわち、画素を液晶表示状態に駆動する表示情報アドレス期間と、それに続く、画素をほぼ非透過状態に駆動する時間間隔とが存在する。
　ＴＶフィールド期間の終わりにおいて、再びＴＶ信号のフィールド速度の２倍の速度において、通常の２倍の速度における行導線の走査に同期して次のＴＶフィールドを第１の記憶装置にロードしている間、次のＴＶフィールドに関するデータ信号が他の記憶装置から回路２４に読み出されるように、切り換えスイッチ２８および３２を動作する。この次のフィールドを表示パネル内にロードした後、以前のようにＴＶフィールド周期の残りの後半内で、ほぼ非透過表示状態に再び駆動する。この動作方法を、順次のＴＶフィールドに対して繰り返す。
　したがって、表示パネルの動作は、各々がＴＶ信号フィールド周期のほぼ半分、例えば１０ｍｓに相当する連続したほぼ等しい期間を必要とし、一つ置きの期間は、画素が各々のＴＶフィールドに関する表示情報によってロードされる間の第１の表示パネルフィールド期間を構成し、それらの間の時間間隔は、配列の画素を黒い状態に駆動する間の第２の表示パネルフィールド期間を構成する。これを図４に図式的に示し、ここでここでＴは時間を表し、Ｆ（Ａ）からＦ（Ｄ）は供給されたＴＶ信号ＶＳの４つの連続するフィールド期間を示す。表示パネルの動作期間の相対的なタイミングＤＰは、ｆ（Ａ）からｆ（Ｃ）が第１の表示パネルフィールド（表示情報アドレス）期間を示し、期間ｆ′がそれらの間の第２の表示パネルアドレス期間を示す。」（１８頁７行〜１９頁１３行）
　　
　上記ａ〜ｄによれば、引用例には、
「画素を規定する透明画素電極とパネルの全ての画素に共通の電極を構成する透明導電層との２つの電極に挟まれたツイストネマチック液晶の駆動方法において、
　ＴＶ信号フィールド周期の半分からなる表示情報アドレス期間内で１ＴＶフィールドに関するビデオ信号を各画素に書き込むのに続いて、各画素を、ＴＶ信号フィールド周期の残りの半分から成る期間内に再びアドレスして、ほぼ非透過（黒い）状態に駆動するように予め定めた基準電圧ＶＢを各画素に書き込む、２つの表示情報アドレス期間、すなわち、画素を液晶表示状態に駆動する第１の表示情報アドレス期間と、それに続く、画素をほぼ非透過状態に駆動する第２の表示情報アドレス期間とが存在するツイストネマチック液晶の駆動方法。」
との発明が開示されていると認めることができる（以下、「引用例発明」という。）。
　　
３．対比・判断
　そこで、本願発明と引用例発明とを以下に対比する。
　ア．引用例発明の「画素を規定する透明画素電極とパネルの全ての画素に共通の電極を構成する透明導電層との２つの電極」、「ツイストネマチック液晶」、「ビデオ信号」、「ＴＶ信号フィールド周期」および「ツイストネマチック液晶の駆動方法」は、それぞれ本願発明の「２つの電極」、「ネマティック液晶」、「画像データ」、「１フレーム期間」および「ネマティック液晶の駆動方法」に相当する。
　　
　イ．引用例発明の「ＴＶ信号フィールド周期の半分からなる表示情報アドレス期間内で１ＴＶフィールドに関するビデオ信号を各画素に書き込む」、「画素を液晶表示状態に駆動する第１の表示情報アドレス期間」が、画素の２つの電極の間にビデオ信号に応じた電圧を印加して同ビデオ信号に見合った光透過率状態に液晶を駆動する期間であることは明らかである。したがって、引用例発明は、本願発明の「前記２つの電極間に画像データに応じた電圧を印加して前記ネマティック液晶の光透過率を前記画像データに応じた値とする第１のステップ」を有する。
　　
　ウ．引用例発明の「各画素を、ＴＶ信号フィールド周期の残りの半分から成る期間内に再びアドレスして、ほぼ非透過（黒い）状態に駆動するように予め定めた基準電圧ＶＢを各画素に書き込む」、「画素をほぼ非透過状態に駆動する第２の表示情報アドレス期間」が、上記ビデオ信号とは異なる基準電圧ＶＢを、上記第２の表示情報アドレス期間内に各画素に書き込むことにより、画素の２つの電極の間にほぼ非透過（黒い）状態に見合った電圧を印加して、上記第２の表示情報アドレス期間にわたり液晶の光透過率をほぼ黒状態に保つように駆動する期間であることは明らかである。
　ここで、上記第２の表示情報アドレス期間は１ＴＶ信号フィールド周期の丁度半分にあたる一定の期間であり、また、上記非透過（黒い）状態は、中間調状態とは異なり明確に一つの状態として特定可能な黒表示状態であるから、本願発明にいう（光透過率の）「元の値」がいかなる値であるか明確ではないにしても、特定可能な一つの状態である点で両者は一致するということができる。このことは、請求項１（本願発明）を引用する請求項２の「前記一定の電圧の印加は、前記ネマチック液晶の光透過率を黒レベルにすること」なる記載とも符合する。
　したがって、引用例発明が、本願発明の「前記２つの電極間に前記画像データに応じた電圧とは異なる一定の電圧を一定の期間印加して前記画像データに応じた電圧の印加によって変化した前記光透過率を元の値に戻す第２のステップ」を有することは明らかである。
　　
　エ．引用例発明の「第１の表示情報アドレス期間」及び「第２の表示情報アドレス期間」は、上記イ、ウのとおり本願発明の「第１のステップ」及び「第２のステップ」にそれぞれ相当し、両アドレス期間を合わせて一つのＴＶ信号フィールド周期を構成しているから、引用例発明が本願発明の「〜第１のステップと、〜第２ステップとを１フレーム期間中に行うこと」を具備することは明らかである。
　　
　そうすると、引用例発明は本願発明のすべての構成要件を充足するから、両者は同一である。
　　
　なお、原査定の理由は特許法第２９条第２項違反であるが、請求人は、意見書他において、引用例に記載された事項と本願発明との相違点について充分言及しており、その中で特許法第２９条第１項第３号の同一性を含め検討していることは明らかであるから、当審が特許法第２９条第１項第３号を適用することに違法はない。
　
４．むすび
　以上のとおり、本願発明は、引用例に記載された発明であるから、特許法第２９条第１項第３号の規定に該当し特許を受けることができない。
　よって、結論のとおり審決する。